(57)【要約】【課題】電源スイッチの一時的オフ期間に相当する瞬時停電がある場合でも、設置者の意図に反して照明状態が切り換わることのない放電灯点灯装置を提供する。【解決手段】放電灯点灯装置１００は、電源スイッチ２０の一時的オフにより交流電源１から交流電力の供給が一時的に休止する電力供給一時停止期間が予め設定された設定期間内かどうかを検出する電力供給一時停止期間検出部４００と、電力供給一時停止期間検出部４００により電力供給一時停止期間が前記設定期間内であることが検出された場合には検出時まで設定していた調光指令値を他の調光指令値に暫定的に設定し、前記検出後の所定の期間内に、引き続き、電力供給一時停止期間検出部４００により電力供給一時停止期間が設定期間内であることが予め設定された１回以上のいずれかの回数検出された場合には暫定的に設定した他の調光指令値を新たな設定値として確定するマイクロコンピュータとを備えた。【選択図】図１
2008262891.tif 000002
【特許請求の範囲】
【請求項１】
交流電力を供給する交流電源から供給された交流電力を整流して出力する整流回路と、前記整流回路の出力電圧を昇圧する昇圧回路と、前記昇圧回路が昇圧した電圧を高周波電圧に変換して出力し、出力した高周波電圧で放電灯を点灯させるインバータ回路とを備えた放電灯点灯装置において、
前記交流電源による交流電力の供給が供給状態から供給停止状態となり再び供給状態となった場合の供給停止期間である電力供給一時停止期間が予め設定された設定期間内かどうかを検出する電力供給一時停止期間検出部と、
複数の発振周波数のうち予め設定された発振周波数で前記インバータ回路を発振させる制御をするインバータ制御回路であって、前記電力供給一時停止期間検出部により電力供給一時停止期間が設定期間内であることが検出された場合に、前記検出後の所定の期間内に、引き続き、前記電力供給一時停止期間検出部により電力供給一時停止期間が設定期間内であることが予め設定された１回以上のいずれかの回数検出された場合には、前記予め設定された１回以上のいずれかの回数の検出時まで設定していた発振周波数を他の発振周波数に設定し、前記他の発振周波数を新たな設定値として確定し、新たな設定値として確定した発振周波数で前記インバータ回路を発振させるインバータ制御回路と
を備えたことを特徴とする放電灯点灯装置。
【請求項２】
交流電力を供給する交流電源から供給された交流電力を整流して出力する整流回路と、前記整流回路の出力電圧を昇圧する昇圧回路と、前記昇圧回路が昇圧した電圧を高周波電圧に変換して出力し、出力した高周波電圧で放電灯を点灯させるインバータ回路とを備えた放電灯点灯装置において、
前記交流電源による交流電力の供給が供給状態から供給停止状態となり再び供給状態となった場合の供給停止期間である電力供給一時停止期間が予め設定された設定期間内かどうかを検出する電力供給一時停止期間検出部と、
前記放電灯の定格出力に対する比率を示す複数の調光率のそれぞれに対応する調光指令値のそれぞれから定まる発振周波数のうち予め設定された調光指令値から定まる発振周波数で前記インバータ回路を発振させる制御をするインバータ制御回路であって、前記電力供給一時停止期間検出部により電力供給一時停止期間が前記設定期間内であることが検出された場合に、前記検出後の所定期間内に、引き続き、前記電力供給一時停止期間検出部により電力供給一時停止期間が設定期間内であることが予め設定された１回以上のいずれかの回数検出された場合には、前記予め設定された１回以上のいずれかの回数の検出時まで設定していた調光指令値を他の調光指令値に設定し、前記他の調光指令値を新たな設定値として確定し、新たな設定値として確定した調光指令値から定まる発振周波数で前記インバータ回路を発振させるインバータ制御回路と
を備えたことを特徴とする放電灯点灯装置。
【請求項３】
交流電力を供給する交流電源から供給された交流電力を整流して出力する整流回路と、前記整流回路の出力電圧を昇圧する昇圧回路と、前記昇圧回路が昇圧した電圧を高周波電圧に変換して出力し、出力した高周波電圧で放電灯を点灯させるインバータ回路とを備えた放電灯点灯装置において、
前記交流電源による交流電力の供給が供給状態から供給停止状態となり再び供給状態となった場合の供給停止期間である電力供給一時停止期間が予め設定された設定期間内かどうかを検出する電力供給一時停止期間検出部と、
複数の発振周波数のうち予め設定された発振周波数で前記インバータ回路を発振させる制御をするインバータ制御回路であって、前記電力供給一時停止期間検出部により電力供給一時停止期間が設定期間内であることが検出された場合には検出時まで設定していた発振周波数を他の発振周波数に暫定的に設定し、前記検出後の所定の期間内に、引き続き、前記電力供給一時停止期間検出部により電力供給一時停止期間が設定期間内であることが予め設定された１回以上のいずれかの回数検出された場合には暫定的に設定した他の発振周波数を新たな設定値として確定し、新たな設定値として確定した発振周波数で前記インバータ回路を発振させるインバータ制御回路と
を備えたことを特徴とする放電灯点灯装置。
【請求項４】
交流電力を供給する交流電源から供給された交流電力を整流して出力する整流回路と、前記整流回路の出力電圧を昇圧する昇圧回路と、前記昇圧回路が昇圧した電圧を高周波電圧に変換して出力し、出力した高周波電圧で放電灯を点灯させるインバータ回路とを備えた放電灯点灯装置において、
前記交流電源による交流電力の供給が供給状態から供給停止状態となり再び供給状態となった場合の供給停止期間である電力供給一時停止期間が予め設定された設定期間内かどうかを検出する電力供給一時停止期間検出部と、
前記放電灯の定格出力に対する比率を示す複数の調光率のそれぞれに対応する調光指令値のそれぞれから定まる発振周波数のうち予め設定された調光指令値から定まる発振周波数で前記インバータ回路を発振させる制御をするインバータ制御回路であって、前記電力供給一時停止期間検出部により電力供給一時停止期間が前記設定期間内であることが検出された場合には検出時まで設定していた調光指令値を他の調光指令値に暫定的に設定し、前記検出後の所定の期間内に、引き続き、前記電力供給一時停止期間検出部により電力供給一時停止期間が設定期間内であることが予め設定された１回以上のいずれかの回数検出された場合には暫定的に設定した他の調光指令値を新たな設定値として確定し、新たな設定値として確定した調光指令値から定まる発振周波数で前記インバータ回路を発振させるインバータ制御回路と
を備えたことを特徴とする放電灯点灯装置。
【請求項５】
前記インバータ回路は、
前記交流電源による交流電力の供給がある場合には高周波電圧の出力を継続し、前記交流電源による交流電力の供給がない場合には高周波電圧の出力を停止し、
前記電力供給一時停止期間検出部は、
前記インバータ回路の高周波電圧の出力に基づいて、電力供給一時停止期間が予め設定された設定期間内かどうかを検出することを特徴とする請求項１〜４のいずれかに記載の放電灯点灯装置。
【請求項６】
前記放電灯点灯装置は、さらに、
前記放電灯が抜去されているかどうかを検出する抜去検出部を備え、
前記インバータ制御回路は、
前記抜去検出部が前記放電灯の抜去を検出した場合には、抜去の検出時において設定している調光指令値を継続して維持することを特徴とする請求項１〜５のいずれかに記載
の放電灯点灯装置。
【請求項７】
前記放電灯点灯装置は、さらに、
前記放電灯が異常状態にあるかどうかを検出する異常状態検出部を備え、
前記インバータ制御回路は、
前記異常状態検出部が前記放電灯の異常状態を検出した場合には、異常状態の検出時において設定している調光指令値を継続して維持することを特徴とする請求項１〜５のいずれかに記載の放電灯点灯装置。
【請求項８】
前記電力供給一時停止期間検出部は、
前記交流電源が交流電力の供給状態と供給停止状態とのいずれの状態にあるかを検出する供給状態検出部と、
前記交流電源が交流電力の供給状態のときに交流電力により充電するとともに、交流電力の供給停止状態が設定期間を超えて継続すると、充電した電圧が予め設定された値以下となる電圧保持部と
を備えたことを特徴とする請求項１〜４のいずれかに記載の放電灯点灯装置。
【請求項９】
前記電力供給一時停止期間検出部は、
前記交流電源が交流電力の供給状態と供給停止状態とのいずれの状態にあるかを検出する供給状態検出部と、
前記インバータ回路の出力に接続されることにより前記インバータ回路の出力する高周波電圧により充電するとともに、前記インバータ回路の出力停止状態が設定期間を超えて継続すると、充電した電圧が予め設定された値以下となる電圧保持部と
を備えたことを特徴とする請求項５記載の放電灯点灯装置。
【請求項１０】
前記放電灯点灯装置は、さらに、
前記インバータ制御回路が、暫定的に設定した他の調光指令値を新たな設定値として確定した場合に、確定したことを表示する表示部を備えたことを特徴とする請求項１〜５のいずれかに記載の放電灯点灯装置。
【請求項１１】
前記インバータ制御回路は、
暫定的に設定した他の調光指令値を新たな設定値として確定した場合に、前記インバータ回路の発振周波数を制御することにより前記放電灯の明るさを増減することを特徴とする請求項１〜５のいずれかに記載の放電灯点灯装置。
【請求項１２】
前記インバータ制御回路は、
前記検出後の所定の期間内に、前記電力供給一時停止期間検出部により電力供給一時停止期間が設定期間内であることが予め設定された１回以上のいずれかの回数検出されない場合には、暫定的に設定した他の調光指令値を新たな設定値として確定することなく、予め指定された調光指令値を設定して確定することを特徴とする請求項１〜５のいずれかに記載の放電灯点灯装置。
【請求項１３】
前記インバータ制御回路は、
予め指定された調光指令値として、前記電力供給一時停止期間検出部により電力供給一時停止期間が前記設定期間内であることが検出された検出時まで設定していた調光指令値を設定して確定することを特徴とする請求項１２記載の放電灯点灯装置。
【請求項１４】
前記インバータ制御回路は、
インバータ回路の発振周波数を制御する信号を出力するマイクロコンピュータと、
このマイクロコンピュータの信号に基づいて、前記インバータ回路のスイッチングを制御する制御出力回路と、
を備えることを特徴とする請求項１〜請求項１３のいずれかに記載の放電灯点灯装置。
【請求項１５】
請求項１〜１４のいずれかに記載の放電灯点灯装置を備えた照明器具。
【請求項１６】
請求項１〜１４のいずれかに記載の放電灯点灯装置を有する照明器具と、
前記照明器具の有する前記放電灯点灯装置に交流電源からの交流電力の供給をオン、オフする電源スイッチと
を備えたことを特徴とする照明システム。
【請求項１７】
前記照明システムは、
前記照明器具を複数備えるとともに、
前記複数の照明器具のそれぞれが有する前記放電灯点灯装置は、
いずれも、前記電源スイッチにより前記交流電源からの交流電力の供給がオン、オフされることを特徴とする請求項１６記載の照明システム。
【請求項１８】
前記電源スイッチは、
壁スイッチであることを特徴とする請求項１６または１７のいずれかに記載の照明システム。
【請求項１９】
前記電源スイッチは、
直列に接続された第１スイッチと第２スイッチとから構成されることを特徴とする請求項１６または１７のいずれかに記載の照明システム。
【請求項２０】
前記第１スイッチと前記第２スイッチとは、
互いに近傍に配置されるとともに、
前記第１スイッチと前記第２スイッチとのうちのいずれか一方は、カバーで覆われていることを特徴とする請求項１９記載の照明システム。
【請求項２１】
前記放電灯点灯装置は、さらに、
前記放電灯の出力の度合を示す出力表示を表示可能な表示部を備え、
前記インバータ制御回路は、
前記新たな設定値を確定した場合に、前記新たな設定値に対応する出力表示を前記表示部に表示させることを特徴とする請求項１〜４のいずれかに記載の放電灯点灯装置。
【請求項２２】
前記請求項１〜４のいずれかに記載の前記放電灯点灯装置に使用される出力表示器であって、
前記放電灯の出力の度合を示す出力表示を表示可能な表示部と、
前記交流電源に基づく前記電力供給一時停止期間に対して、前記電力供給一時停止期間検出部と同じ結果を検出する第２の前記電力供給一時停止期間検出部と、
前記インバータ制御回路が前記電力供給一時停止期間検出部による検出結果に対して前記新たな設定値を確定する場合に、前記第２の電力供給一時停止期間検出部による検出結果に対して、前記インバータ制御回路により確定される前記新たな設定値と同じ値を第２の新たな設定値として確定し、確定された前記第２の新たな設定値に対応する出力表示を前記表示部に表示させる表示制御部と
を備えたことを特徴とする出力表示器。
【請求項２３】
前記表示制御部は、
不揮発性メモリを備え、前記第２の新たな設定値を前記不揮発性メモリに記憶するとともに前記第２の新たな設定値が更新されるごとに更新後の前記第２の新たな設定値を前記不揮発性メモリに上書きして記憶し、
前記表示制御部は、
前記不揮発性メモリに記憶されている前記第２の新たな設定値に対応する出力表示を前記表示部に表示させることを特徴とする請求項２２記載の出力表示器。
【請求項２４】
前記表示部は、
複数の発光ダイオードから構成されることを特徴とする請求項２２または２３のいずれかに記載の出力表示器。
【請求項２５】
前記表示制御部は、
前記第２の新たな設定値が前記放電灯の最大出力に相当する場合には、前記表示部に表示させないことを特徴とする請求項２４記載の出力表示器。
【請求項２６】
前記表示制御部は、
前記複数の発光ダイオードのうち、いずれか一つを点灯させることを特徴とする請求項２４記載の放電灯点灯装置。
【請求項２７】
前記表示制御部は、
前記第２の新たな設定値に対応する前記放電灯の出力に応じて、点灯させる前記発光ダイオードの数を変えるとともに、
前記表示部は、
前記放電灯の出力の違いを表示可能な個数の前記発光ダイオードから構成されたことを特徴とする請求項２４記載の出力表示器。
【請求項２８】
前記出力表示器は、
前記交流電力の供給をオン、オフする電源スイッチであってスイッチボックスに収納される電源スイッチとともに前記スイッチボックスに収納されることを特徴とする請求項２２または２４のいずれかに記載の出力表示器。
【請求項２９】
前記出力表示器は、さらに、
前記交流電源に対して前記放電灯点灯装置と並列接続するコンセントと接続可能なプラグを備え、
前記第２の電力供給一時停止期間検出部は、
前記コンセントに接続した前記プラグを介して、前記電力供給一時停止期間検出部と同じ結果を検出することを特徴とする請求項２２または２４のいずれかに記載の出力表示器。
【請求項３０】
前記出力表示器は、さらに、
前記交流電源から前記交流電力を入力するととも、入力した前記交流電力を前記放電灯点灯装置に分配する電源端子台を備え、
前記第２の電力供給一時停止期間検出部は、
前記電源端子台を介して、前記電力供給一時停止期間検出部と同じ結果を検出することを特徴とする請求項２２または２４のいずれかに記載の出力表示器。
【請求項３１】
前記請求項１〜４のいずれかに記載の前記放電灯点灯装置に使用される出力表示器であって、
前記放電灯の出力の度合を示す出力表示を表示可能な表示部と、
前記放電灯の複数の出力のそれぞれに対応して設けられた複数の操作部と、
いずれかの前記操作部が操作されると、操作された前記操作部の対応する前記放電灯の出力に相当する設定値を前記インバータ制御回路が新たな設定値として確定するために必要とされる前記交流電源のスイッチ操作に相当する前記交流電源のスイッチング状態を生成し、生成された前記スイッチング状態に基づいて前記交流電力を前記放電灯点灯装置に供給するとともに、操作された前記操作部の対応する前記放電灯の出力に対応する出力表示を前記表示部に表示させる操作変換部と
を備えたことを特徴とする出力表示器。
【請求項３２】
前記請求項１〜４のいずれかに記載の前記放電灯点灯装置に使用される出力表示器であって、
前記放電灯の出力の度合を示す出力表示を表示可能な表示部と、
前記放電灯の複数の出力のそれぞれに対応して設定された複数の出力対応信号を送信する送信機からいずれかの前記出力対応信号を受信する受信部と、
前記受信部によりいずれかの前記出力対応信号が受信されると、受信された前記出力対応信号の対応する前記放電灯の出力に相当する設定値を前記インバータ制御回路が新たな設定値として確定するために必要とされる前記交流電源のスイッチ操作に相当する前記交流電源のスイッチング状態を生成し、生成された前記スイッチング状態に基づいて前記交流電力を前記放電灯点灯装置に供給するとともに、受信された前記出力対応信号の対応する前記放電灯の出力に対応する出力表示を前記表示部に表示させる操作変換部と
を備えたことを特徴とする出力表示器。
【発明の詳細な説明】
【技術分野】
【０００１】
この発明は、放電灯の調光制御に関するものである。特に、調光用の特別なインターフェース回路（以降、Ｉ／Ｆ回路と呼ぶ）なしで、放電灯の調光段階をステップ状に多段階に調光可能な点灯装置に関するものである。
【背景技術】
【０００２】
従来より、放電灯に電源を供給する電源スイッチのオン期間に、一時的な短時間のオフ期間が生ずるように電源スイッチを操作して、照明灯の状態を切り換えることは知られている。このような従来の実施例として、特開昭５１−１２７５８３号公報がある。上記実施例で、照明灯の状態の切り換えとして、例えば、蛍光管２本点灯状態、１本点灯状態、または、豆球点灯状態などを切り換えて調光状態の段階を得ることが示されている。
【０００３】
また、特開平３−２６９９９６号公報の請求項４では、電源スイッチの一定時間を越える一時的な遮断で照明灯を切り換え、更に、照明灯が蛍光灯の場合には通常点灯と調光状態とに分けて点灯できることが示されている。
【特許文献１】特開昭５１−１２７５８３号公報
【特許文献２】特開平３−２６９９９６号公報
【発明の開示】
【発明が解決しようとする課題】
【０００４】
しかし、特許文献１の実施例の場合には、調光段階に対応した数の光源が必要である課題があり、また、照明状態の切り換え回路が複雑で高価になる課題があった。さらに、電源スイッチの一時的なオフ期間に相当する期間の瞬時停電が１回だけあった場合にも照明装置の設置者の意図に反して照明状態が切り換わってしまう課題があった。
【０００５】
また、特許文献２の実施例の場合も、電源スイッチの一時的なオフ期間に相当する期間の瞬時停電が１回だけあった場合でも照明装置の設置者の意図に反して照明状態が切り換わってしまう課題があった。
【０００６】
この発明は、電源スイッチの一時的なオフ期間に相当する期間の瞬時停電がある場合であっても、設置者の意図に反して照明状態が切り換わることのない安価、小型の放電灯点灯装置を提供することを目的とする。
【課題を解決するための手段】
【０００７】
この発明の放電灯点灯装置は、
交流電力を供給する交流電源から供給された交流電力を整流して出力する整流回路と、前記整流回路の出力電圧を昇圧する昇圧回路と、前記昇圧回路が昇圧した電圧を高周波電圧に変換して出力し、出力した高周波電圧で放電灯を点灯させるインバータ回路とを備えた放電灯点灯装置において、
前記交流電源による交流電力の供給が供給状態から供給停止状態となり再び供給状態となった場合の供給停止期間である電力供給一時停止期間が予め設定された設定期間内かどうかを検出する電力供給一時停止期間検出部と、
複数の発振周波数のうち予め設定された発振周波数で前記インバータ回路を発振させる制御を実行するマイクロコンピュータであって、前記電力供給一時停止期間検出部により電力供給一時停止期間が設定期間内であることが検出された場合に、前記検出後の所定の期間内に、引き続き、前記電力供給一時停止期間検出部により電力供給一時停止期間が設定期間内であることが予め設定された１回以上のいずれかの回数検出された場合には、前記予め設定された１回以上のいずれかの回数の検出時まで設定していた発振周波数を他の発振周波数に設定し、前記他の発振周波数を新たな設定値として確定し、新たな設定値として確定した発振周波数で前記インバータ回路を発振させるマイクロコンピュータと
を備えたことを特徴とする。
【発明の効果】
【０００８】
この発明により、電源スイッチの一時的なオフ期間に相当する期間の瞬時停電がある場合であっても、設置者の意図に反して照明状態が切り換わることのない放電灯点灯装置を提供することができる。
【発明を実施するための最良の形態】
【０００９】
実施の形態１．
図１〜図６を用いて実施の形態１を説明する。実施の形態１は、電源スイッチがＯＮである場合に電源スイッチを所定の短時間のうちにＯＮ→ＯＦＦ→ＯＮとする第１操作があると放電灯の調光率をある値に暫定的に変化させ、さらにその後の所定の期間内に、引き続き電源スイッチを所定の短時間のうちにＯＮ→ＯＦＦ→ＯＮとする第２操作（確定操作）がある場合に、ある値に暫定的に設定した調光率を確定する放電灯点灯装置に関する。このような機能により、放電灯点灯装置は、瞬時停電が生じた場合であっても、ユーザの意図に反して調光率が変化することがなくなる効果がある。
【００１０】
図１は、実施の形態１の放電灯点灯装置１００の構成を示す回路図である。図１に示すように、放電灯点灯装置１００は、ダイオードブリッジ２（整流回路）、昇圧チョッパ回路２００（昇圧回路）、昇圧チョッパ制御回路２１０、インバータ回路３００、インバータ制御回路３１０、放電灯状態検出回路３２０（抜去検出部、異常状態検出部）、放電灯負荷回路３３０、電力供給一時停止期間検出部４００、表示部４１０を備える。なお、図１では、放電灯点灯装置１００は、電源スイッチ２０を含まない構成としているが、放電灯点灯装置１００内に電源スイッチ２０を含む構成でも構わない。後述する図７の放電灯点灯装置１０１（実施の形態２）についても同様である。
【００１１】
インバータ制御回路３１０は、制御出力回路３１１、マイクロコンピュータ３１２（以下、マイコン３１２という）、不揮発性メモリ３１３を備える。
【００１２】
図２は、不揮発性メモリ３１３が記憶する主なフラグ、データを示す図である。これらのフラグ、データについては、その都度、後述する。
【００１３】
電力供給一時停止期間検出部４００は、電源オン・オフ状態検出回路３４０（供給状態検出部）、電源オフ期間検出回路３６０（電圧保持部）を備える。
【００１４】
図１において、放電灯点灯装置１００は、交流電源１から電源スイッチ２０を介して交流電源を与えられる。
（１）放電灯点灯装置１００では、交流電源１からの交流電力が電源スイッチ２０を介して供給され、ダイオードブリッジ２で整流される。ダイオードブリッジ２の出力は、脈流成分を含む直流電源である。この脈流成分を含む直流電源が昇圧チョッパ回路２００に供給される。
（２）昇圧チョッパ回路２００は、昇圧チョッパ制御回路２１０で制御される。昇圧チョッパ回路２００は、チョークコイル３、スイッチング素子５、ダイオード４、コンデンサ６から構成され、入力された脈流を含む直流電源を昇圧・平滑し、インバータ回路３００に安定化された一定電圧を供給する。
（３）インバータ回路３００は、インバータ制御回路３１０で制御される。インバータ回路３００は、スイッチング素子７及びスイッチング素子８により、昇圧チョッパ回路２００で昇圧された直流電圧を高周波電圧に変換する。また、抵抗１３が、スイッチング素子７に並列に接続される。なお、スイッチング素子７及び８のドレイン・ソース間に逆並列に接続されているダイオードは、図示を省略する。
（４）放電灯負荷回路３３０は、カップリングコンデンサ９、チョークコイル１０、放電灯１１の直列回路及びカップリングコンデンサ９に並列に接続された抵抗１４、及び、放電灯１１に並列に接続されたコンデンサ１２から構成される。
（５）インバータ制御回路３１０のマイコン３１２には、放電灯状態検出回路３２０、電源オン・オフ状態検出回路３４０、電源オフ期間検出回路３６０の出力信号が接続される。
（６）放電灯状態検出回路３２０は、放電灯１１の放電灯負荷回路３３０への装着または抜去状態の検出及び放電灯１１の正常または不良状態を検出する。放電灯１１の装着状態は、コンデンサ６を電源として抵抗１３、抵抗１４、放電灯１１の両フィラメントを介して電流が流れることを検出する。また、放電灯１１の不良状態は、放電灯１１の両端電圧の上昇、フィラメントの電圧等で検出する。
【００１５】
（７）電力供給一時停止期間検出部４００は、交流電源１による交流電力の供給が供給状態から供給停止状態となり再び供給状態となった場合の供給停止期間である電力供給一時停止期間ｔが、予め設定された設定期間Ｔｏｆｆ内かどうかを検出する。後述のように、電源オン・オフ状態検出回路３４０が交流電源１のオン／オフを検出する。電源オフ期間検出回路３６０は、交流電源１のオフ状態において、予め設定された期間Ｔｏｆｆの間は一定以上の電圧（Ｈｉｇｈレベル）を保持する。交流電源１がオフの間、電源オフ期間検出回路３６０の保持電圧が「Ｈｉｇｈレベル」であるかどうかにより、交流電源１のオフ期間が予め設定された期間Ｔｏｆｆの設定値以内かどうかが検出される。電源オン・オフ状態検出回路３４０は、電源スイッチ２０の後段に接続し、交流電源１の供給の有無を検出する回路である。電源オン・オフ状態検出回路３４０は、電源スイッチ２０による交流電源１の遮断の他に、交流電源１の瞬時停電による供給断も検出する。交流電源１の供給断が検出された場合、インバータ制御回路３１０（マイコン３１２）は、放電灯１１が蛍光灯放電灯などのように、始動時にフィラメントの予熱が必要なものに対しては、適切な予熱モード状態を経て点灯モードに移行するように制御する。電源オフ期間検出回路３６０は、電源スイッチ２０の後段に接続し、交流電源１の遮断後も一定の期間その電圧を保持する電圧保持回路である。マイコン３１２は、電源オン・オフ状態検出回路３４０が電源スイッチ２０のオフ検出後、電源オフ期間検出回路３６０の出力端子ｂの電圧が所定値を上回るうちに、電源オン・オフ状態検出回路３４０が電源スイッチ２０のオンを検出した場合は、交流電源１の「所定の短時間Ｔｏｆｆ以内」の電源遮断と識別する。一方マイコン３１２は、電源オン・オフ状態検出回路３４０が電源スイッチ２０のオフ検出後、電源オフ期間検出回路３６０の「出力端子ｂ」の電圧が所定値を下回ることを検出した場合は、交流電源１の所定の短時間Ｔｏｆｆを越える電源遮断と識別する。
【００１６】
（電源オフ期間検出回路３６０の具体構成）
次に図３を用いて電源オフ期間検出回路３６０の具体構成を説明する。図３は、電源オフ期間検出回路３６０の具体的な構成を示す図である。図４は、図３に示した電源オフ期間検出回路３６０の回路特性を示す図である。
【００１７】
図３に示す電源オフ期間検出回路３６０は、アノード側が入力端子ａに接続されカソード側が抵抗３６２に接続されたダイオード３６１と、一端がダイオード３６１のカソード側に接続され他端が出力端子ｂに接続された抵抗３６２と、一端が抵抗３６２の出力端子側に接続され他端が接地された抵抗３６３と、一端が抵抗３６２と抵抗３６３との接続点と他端が接地されたコンデンサ３６４とを備える。
【００１８】
図４（ａ）は、電源スイッチ２０のオンまたはオフ状態と、その動作に対応した電源オフ期間検出回路３６０の入力端子ａに印加される交流電源１の状態を示している。図４（ｂ）は、そのときの出力端子ｂの電圧波形を示している。
【００１９】
図３及び図４において、電源スイッチ２０がオン状態において人の操作により電源スイッチ２０を所定の短時間（図示の電力供給一時停止期間ｔの期間）オフし、次に、再度電源スイッチ２０をオンした場合の出力端子ｂの電圧を、マイコン３１２が高レベル（Ｈレベル）と認識するように、電源オフ期間検出回路３６０を構成する各部品定数を適当に選定する。即ち、所定の期間Ｔｏｆｆの終了時点の出力端子ｂの電圧を、マイコン３１２がＨレベルと認識する電圧以上の電圧になるようにする。言い換えると、電源オフ期間検出回路３６０は、予め設定された所定の期間Ｔｏｆｆを超えると保持電圧がマイコン３１２が高レベル（Ｈレベル）と認識できる電圧を下回るように、その構成部品の各定数が選定される。マイコン３１２は、電源オン・オフ状態検出回路３４０により電源スイッチ２０がオフであることを認識するとともに、この認識中に電源オフ期間検出回路３６０の保持電圧を「Ｈ」と認識している場合は、電源スイッチ２０のオフ期間が所定の期間Ｔｏｆｆ以内と判断する。一方、マイコン３１２は、電源スイッチ２０がオフと認識中に電源オフ期間検出回路３６０の保持電圧を「Ｌ」と認識した場合は電源スイッチ２０のオフ期間が所定の期間Ｔｏｆｆを超えたと判定する。
【００２０】
図２の不揮発性メモリ３１３の図で説明する。マイコン３１２は、電源オン・オフ状態検出回路３４０が電源スイッチ２０のオフを検出すると、電源ＯＮ・ＯＦＦフラグ３１３３を「０」にセットする。マイコン３１２は、電源オフ期間検出回路３６０の保持電圧の状態がＨｉｇｈであれば「短時間ＯＦＦフラグ」を「Ｈ」にセットする。マイコン３１２は、電源ＯＮ・ＯＦＦフラグ３１３３が「０」の間、「短時間ＯＦＦフラグ」が「Ｈ」である場合に、電源スイッチ２０のオフ期間が所定の期間Ｔｏｆｆ以内と判定する。マイコン３１２は、電源オフ期間検出回路３６０の保持電圧の状態がＨｉｇｈからＬｏｗになると「短時間ＯＦＦフラグ」を「Ｌ」に書き換える。
【００２１】
なお、昇圧チョッパ制御回路２１０、インバータ制御回路３１０、放電灯状態検出回路３２０及び電源オン・オフ状態検出回路３４０の制御用駆動電源は図示を省略する。
【００２２】
図１の回路で交流電源１が投入されると、インバータ回路３００は、インバータ制御回路３１０によって制御され、放電灯１１は点灯する。
【００２３】
放電灯１１の定格出力に対する比率である「調光率」は、インバータ制御回路３１０の不揮発性メモリ３１３に記録されている調光率指令値Ｓｄで制御される。図２に示すように、不揮発性メモリ３１３は、調光率テーブル３１３７を格納している。調光率テーブル３１３７の調光指令値の値は、調光率に対応する。例えばＳｄ＝２０２は、調光率１００％に対応する。マイコン３１２は、調光指令値から定まる発振周波数のうち予め設定された調光指令値から定まる発振周波数でインバータ回路３００を発振させる制御を実行する。マイコン３１２の発振周波数が８ＭＨｚとすれば、マイコン３１２は、例えばＳｄ０を用いて、「８ＭＨｚ÷２０２」の周波数でインバータ回路３００を発振させる制御信号を生成する。このように、マイコン３１２は、調光指令値Ｓｄに対応した所定の周波数でインバータ回路３００を発振させるための制御信号を生成し、生成した制御信号を制御出力回路３１１（ドライバ）に出力する。制御出力回路３１１は、マイコン３１２から制御信号を入力し、入力した制御信号によりインバータ回路３００を駆動する。
【００２４】
図２の調光率テーブル３１３７では調光指令値Ｓｄは４種類を示しているが、調光指令値Ｓｄの値は、定格出力の調光率に対応する調光指令値Ｓｄ０（１００％出力相当）と、その他に、少なくとも１つ以上の調光指令値Ｓｄ１・・・Ｓｄｎ、Ｓｄｎ＋１、・・・Ｓｄｍの値を持つ。それぞれの調光指令値Ｓｄに対応した調光率は、マイコン３１２のプログラムで指定される。前記のＳｄｎ＋１は、マイコン３１２のプログラムでＳｄｎの次に選択される調光指令値を示している。また、Ｓｄｍは指定可能な最後の調光指令値を示している。
【００２５】
図１の回路では、調光率が大きい場合（調光指令値が大きい場合）は、発振周波数を相対的に低く、調光率が小さい場合（調光指令値が小さい場合は）、発振周波数を相対的に高く設定することで、調光率を増減する。
【００２６】
（マイコン３１２と放電灯状態検出回路３２０との関係）
また、放電灯状態検出回路３２０が放電灯１１の放電灯負荷回路３３０への装着を検出し、かつ、放電灯１１の正常状態を検出した場合にのみ、インバータ回路３００は発振が継続的に駆動される。従って、放電灯１１の未装着や寿命末期等の異常状態の場合は、インバータ回路３００の発振は停止される。放電灯状態検出回路３２０は、放電灯１１の抜去状態、あるいは異常状態の場合には検出信号をマイコン３１２に出力する。マイコン３１２は、抜去状態の検出信号を入力すると「フィラメント検出フラグ３１３１」を「０」にし、放電灯１１の異常状態の検出信号を入力すると「放電灯不良検出フラグ３１３２」を「１」にする。マイコン３１２は、「フィラメント検出フラグ３１３１」が「０」である場合、あるいは「放電灯不良検出フラグ３１３２」が「１」である場合は、制御出力回路３１１への制御信号の出力を停止し、インバータ回路３００の発振を停止する。
【００２７】
次に図５、図６を参照して、本実施の形態１の放電灯点灯装置１００の特徴である調光率の確定操作について説明する。図５は、調光率の確定操作を説明する図である。図６は調光率の確定動作を示すフローチャートである。
【００２８】
上記のような構成で、図５に示すように、電源スイッチ２０がオンの状態で、操作者による第１操作により電源スイッチ２０をオフしてから所定の短時間内（Ｔｏｆｆ期間内）に再度電源スイッチ２０をオンする（Ｓ１００）。そうすると、電源スイッチ２０のオフ期間ｔがＴｏｆｆより小さい場合は（Ｓ１０１のＹＥＳ）、電源オフ期間検出回路３６０の出力端子ｂは、Ｈレベルである。よって、マイコン３１２は「Ｈ」と判定し、「短期間ＯＦＦフラグ」のＨを維持する。また、電源スイッチ２０のオフ期間がＴｏｆｆより大きい場合は（Ｓ１０１のＮＯ）、マイコン３１２は低レベル（Ｌレベル）と判定し、「短期間ＯＦＦフラグ」を「Ｌ」に書き換える。同時に、電源オン・オフ状態検出回路３４０は、電源スイッチ２０がオフし、その後オンしたことを検出する。
【００２９】
（１）ここで、第１操作により、電源スイッチ２０がオン状態→オフ状態→オン状態に変化したことと、電源スイッチ２０のオフ期間（電力供給一時停止期間ｔ）がＴｏｆｆよりも小さいことが検出された場合、すなわち、図２において「電源ＯＮ・ＯＦＦフラグ＝０」かつ「短時間ＯＦＦフラグ＝Ｈ」の場合は、マイコン３１２のプログラムにより、現行の調光指令値Ｓｄｎから次の調光指令値Ｓｄｎ＋１が選択され、調光率も調光指令値の変化に対応して変化する（Ｓ１１０）。
（２）例えば、電源スイッチ２０がオンの状態で、操作者の操作により、電源スイッチ２０をＴｏｆｆより小さい期間ｔ内（例えば、１秒以内）オフすると、マイコン３１２は、放電灯１１の調光率を現行の９０％（例えばＳｄｎ＝１９８）から次に指定される７０％（例えばＳｄｎ＋１＝１９４）に暫定的に変化させる。すなわち、マイコン３１２は、電源スイッチ２０のオフ期間（電力供給一時停止期間ｔ）がＴｏｆｆ期間以内と判断すると、不揮発性メモリ３１３の調光率テーブル３１３７における現在のＳｄｎ＝１９８（現在設定中とする）をＳｄｎ＋１＝１９４に暫定的に設定する。
（３）マイコン３１２は、Ｓｄｎ＝１９８をＳｄｎ＋１＝１９４に設定すると同時に、調光率（調光指令値Ｓｄ）を変化させたことを記録するべく、図２の「調光率変化フラグＦｄ３１３０」を「０」から「１」に書き換える。「調光率変化フラグＦｄ３１３０」が「１」であることは、次に述べるように、設定中の調光指令値が確定前の暫定の設定であることを示す。
【００３０】
（１）マイコン３１２は、「調光率変化フラグＦｄ３１３０」について、図５に示すように「所定の時間内（例えば、５秒以内）」は有効（フラグ＝１）に設定し、「所定の時間」を過ぎた場合は無効（フラグ＝０）に設定する。この所定の期間（前記の５秒）は、図２の「期間データ３１３５」に格納されている。マイコン３１２は、この期間データ３１３５の秒数をカウントする。
（２）そして、図５に示すように、「調光率変化フラグＦｄ３１３０」が有効な期間内に、操作者による第２操作（確定操作）により再度電源スイッチ２０がＴｏｆｆの期間内でオフされると（Ｓ１２１のＹＥＳ，Ｓ１２２のＹＥＳ）、マイコン３１２は、「調光率変化フラグＦｄ３１３０」が有効期間内及び電源スイッチ２０がＴｏｆｆの期間内にオフした情報を基に、暫定的に設定していた調光指令値「Ｓｄｎ＋１＝１９４」の設定を確定する。
（３）マイコン３１２は、調光指令値「Ｓｄｎ＋１＝１９４」の値を基に制御出力回路３１１に出力する制御信号を以降継続して生成し、制御出力回路３１１を介してインバータ回路３００を駆動する。
（４）マイコン３１２は、調光指令値の変化（設定）を確定した場合、その時点で調光率変化フラグＦｄをリセットし、値を「０」とする。
（５）もし、「調光率変化フラグＦｄ３１３０」が有効（フラグ＝１）な期間内に、再度電源スイッチ２０がＴｏｆｆ期間内にオフした情報が無い場合は（Ｓ１２２のＮＯ）、マイコン３１２は、調光指令値「Ｓｄｎ＋１＝１９４」を変化前の元の「Ｓｄｎ＝１９８」の設定に戻す（Ｓ１４０）。放電灯１１の調光率は、マイコン３１２により調光指令値に対応する変化前の元の調光率に戻すように制御される。
（６）上記（１）〜（５）の例では、電源スイッチ２０の所定の短時間Ｔｏｆｆ内のオフで調光率を９０％（Ｓｄｎ＝１９８）から７０％（Ｓｄｎ＋１＝１９４）に仮に変化させ、再度、「調光率変化フラグＦｄ３１３０」の有効期間内に、電源スイッチ２０の所定の短時間Ｔｏｆｆ内のオフで調光率７０％（Ｓｄｎ＋１＝１９４）を確定する。そして、以降、７０％（Ｓｄｎ＋１＝１９４）の調光率で放電灯１１を点灯継続する。また、もし「調光率変化フラグＦｄ３１３０」の有効期間内に調光率の確定が行われない場合、マイコン３１２は、調光率は７０％から９０％（Ｓｄｎ＝１９８）に戻るように制御する。
【００３１】
以下同様に、調光指令値が「Ｓｄｎ＋１＝１９４」の状態で、電源スイッチ２０をＴｏｆｆ期間内オフすることにより調光指令値を「Ｓｄｎ＋２＝１９２」とした後に、「調光率変化フラグＦｄ３１３０」の有効期間内に再度電源スイッチ２０をＴｏｆｆ期間内にオフすることにより、「調光指令値Ｓｄｎ＋２＝１９２」に対応した調光率に確定できる。
【００３２】
そして、調光指令値が指定可能な最後の調光指令値であるＳｄｍの状態で、電源スイッチ２０をＴｏｆｆの期間内にオフした場合は、放電灯１１の定格出力（１００％出力）に対応する調光指令値Ｓｄ０が選択される。つまり、調光指令値Ｓｄは定格出力に対応するＳｄ０から指定可能な最後の調光指令値Ｓｄｍ向かって順次指定され、調光指令値Ｓｄｍの次にＳｄ０が指定されるように、循環指定される。
【００３３】
以上のように、本実施の形態１によれば、電源スイッチ２０がオン状態において、先ず、電源スイッチ２０をオフしてから所定の短時間Ｔｏｆｆ内にオンして放電灯１１の調光率を仮に変化させて、次に、さらに調光率変化フラグＦｄの有効期間である所定の時間内に電源スイッチ２０を再度オフして所定の短時間内にオンすることで調光率の変化を確定するようにしている。即ち、電源スイッチ２０の所定の短時間内（Ｔｏｆｆ以内）の人為的なオフ操作を、所定の手順で少なくても２回実行した後にのみ、放電灯１１の調光率の変化を確定できるようにしている。このため、落雷などの原因で交流電源１が瞬時停電する場合があったとしても、瞬時停電による交流電源１の断続状態が本実施の形態１の調光率を変化・確定するために必要な交流電源１の断続状態と一致する確率は、実用的には無視できるほど小さいと考えられる。従って、本実施の形態１によれば、落雷などの原因で交流電源１が瞬時停電した場合でも、放電灯点灯装置の設置・使用者の意図に反して放電灯１１の調光率が変化する誤動作を防止できる効果がある。
【００３４】
また、実施の形態１の放電灯点灯装置１００は、マイコン３１２によりインバータ回路を調光制御するので、調光制御のための特別なインターフェース無しに、電源スイッチ２０の短時間Ｔｏｆｆ内のオフ動作により、多段の調光ステップが可能な放電灯点灯装置を提供できる効果がある。即ち、従来の固定出力式放電灯点灯装置を、本実施の形態１の放電灯点灯装置に置換すれば、特別の調光システムコントローラの追加や調光インターフェースのための特別の配線の追加の必要がない安価で小型な調光システムが実現できる効果がある。
【００３５】
なお、放電灯負荷回路３３０は図示の回路構成のものに限らず、調光制御が可能な他の構成のものでも良いことは明らかである。
【００３６】
（調光率の降順、昇順）
また、上記説明では、調光指令値をＳｄｎからＳｄｎ＋１に変化させる場合に、調光率を順次減じて指定可能な最後の調光指令値Ｓｄｍの次に定格出力である調光指令値Ｓｄ０（１００％調光）に戻る、いわゆる調光率を降順で指定する場合について説明した。蛍光灯放電灯の場合は、蛍光物質の劣化や管壁の汚れなどの原因で放電灯の発光効率は新品が大きく、点灯使用時間が累積するに従って発光効率が低下することは知られている。従って、放電灯が新品で発光か効率が良い場合には放電灯の調光率を小さく、また、放電灯の累積点灯時間の増加に伴い調光率を大きくするように制御すれば、常に定格出力（１００％出力）で点灯する場合に比べて、使用環境の照度の変化を小さく、且つ、省エネができる効果がある。このような応用に対応するため、調光指令値Ｓｄ０を最小の調光率に、最後に指定可能な調光率を最大の調光率（１００％出力）にし、その後、調光率Ｓｄ０に戻す、いわゆる調光率の「昇順指定」をしても良いことは明らかである。
【００３７】
（確定操作の回数）
また、上記説明では、調光率が仮値に変化した後に、「調光率変化フラグＦｄ」が有効期間内に電源スイッチ２０をオフしてから所定の短時間内にオンする操作を１回行うことで調光率の確定を行う場合について説明した。しかし、これは一例である。これを、「調光率変化フラグＦｄ」の有効期間内に電源スイッチ２０をオフしてから所定の短時間内にオンする確定操作を少なくても２回以上行った後に調光率の変化を確定するようにすれば、落雷などの原因で交流電源１が瞬時停電した場合でも、放電灯点灯装置の設置・使用者の意図に反して調光率が変化してしまう誤動作の確率をさらに小さくできる効果がある。この確定操作の必要回数は、不揮発性メモリ３１３の「必要確定操作回数３１３６」に格納されている。マイコン３１２は、この必要確定操作回数３１３６の値に基づき、必要な回数の操作が行われたかどうかを判定する。このように、所定の期間内に行うべき調光率の確定操作は、予め設定された１回以上のいずれかの回数で構わない。
【００３８】
（確定操作の無い場合）
また、上記説明では、調光率を調光指令値ＳｄｎからＳｄｎ＋１に仮に変化させた後に、調光率変化フラグＦｄの有効期間内にその値を確定する確定操作が行われない場合は、調光率を調光指令値Ｓｄｎに戻す場合について説明した。しかしこれは一例である。これを、調光率が確定されない場合には、「予め指定された所定の調光指令値」に戻すようにしても良いことは明らかである。
【００３９】
（調光率変化フラグの有効期間）
また、調光率を調光指令値ＳｄｎからＳｄｎ＋１に仮に変化させた後に、その調光率を確定するまでの有効期間である「調光率変化フラグＦｄ」の有効期間は、この期間が短いと確定するタイミングを失する確率が大きなり、逆に、長すぎると一連の操作の関連が薄くなり確定の操作を失念する確率が大きくなる、あるいは確定操作者の確認時間が長くなるなどの問題が起こる。このため、マイコン３１２がカウントする「調光率変化フラグＦｄ」の有効期間は、５秒以下以内に設定することが実用的には好ましい。
【００４０】
また、電源オフ期間検出回路３６０は、交流電源１の遮断後も一定期間その出力電圧を保持するように構成している。また、「調光率変化フラグＦｄ」は、不揮発性メモリ３１３に記録するようにしている。このため、交流電源１の遮断期間中に継続してインバータ制御回路３１０の制御電源を供給保持する必要はなく、制御電源を小型容量化でき、放電灯点灯装置としても安価・小型化できる効果がある。なお、交流電源オフ時にもインバータ制御回路３１０のマイコン３１２の制御電源を保持するようにすれば、マイコン３１２で電源オン・オフ状態検出回路３４０の信号を基に交流電源のオフ期間を算出できることは明らかであり、この場合は電源オフ期間検出回路３６０は不要である。
【００４１】
また、上記の説明では、電力供給一時停止期間検出部４００により、電力供給一時停止期間が所定のＴｏｆｆ以内であることが検出された場合には、マイコン３１２は、検出時までに設定していた発振周波数を他の発振周波数に「暫定的」に設定し、前記検出後の所定の期間内に、引き続き、電力供給一時停止期間検出部４００により電力供給一時停止期間が所定のＴｏｆｆ期間内であることが予め設定された１回以上のいずれかの回数検出された場合には、「暫定的」に設定した他の発振周波数を新たな設定値として確定し、以降、新たな設定値として確定した発振周波数でインバータ回路３００を駆動継続する場合について説明した。しかし、この「暫定的」に設定する方式に限らず、次の方式でも構わない。すなわち、マイコン３１２は、電力供給一時停止期間検出部４００により、電力供給一時停止期間が所定のＴｏｆｆ以内であることが検出された場合に、前記検出後の所定の期間内に、引き続き、電力供給一時停止期間検出部４００により電力供給一時停止期間が所定のＴｏｆｆ期間内であることが予め設定された１回以上のいずれかの回数検出された場合には、それまで（前記予め設定された１回以上のいずれかの回数が検出された時点まで）設定していた発振周波数を他の発振周波数に設定し、設定した他の発振周波数を新たな設定値として確定し、以降、新たな設定値として確定した発振周波数でインバータ回路３００を駆動継続するようにしても良い。これにより、落雷などの原因で交流電源１が瞬時停電した場合でも、放電灯点灯装置の設置・使用者の意図に反して放電灯１１の調光率が変化する誤動作を防止できる。
【００４２】
（表示部）
また、調光率を確定した場合に、確定した旨の表示をする表示部４１０（図１）を備えることとすれば、操作者は操作の実行を確認できる効果がある。なお、調光率の変化を確定した旨の表示を、マイコン３１２によるインバータ回路に対する発振周波数制御により、放電灯１１の調光率を変化させて明滅または明暗させた後に設定した調光率で点灯するように制御することにより、付加する表示部４１０が不要になる。よって、放電灯点灯装置を安価・小型化できる効果がある。
【００４３】
（照明器具）
また、上記で説明した放電灯点灯装置１００を、放電灯１１が装着された照明器具本体に搭載し、例えば、壁スイッチを電源スイッチ２０として利用すれば、簡単な構成で多段ステップの調光が可能な照明装置を提供できる効果がある。
【００４４】
（電源スイッチの形態）
また、電源スイッチ２０として壁スイッチなどを利用する場合に、電源スイッチ２０を交流電源１の投入または遮断状態を保持する「第１のスイッチ」と、操作時のみオフする「第２の常閉スイッチ」の直列に接続した構成とする。そして、放電灯１１の調光率の変化・確定の操作の場合は操作時のみオフする「第２の常閉スイッチ」を使用するようにすれば、所定の短時間内の電源スイッチ２０のオフ操作が簡単にできる効果がある。
【００４５】
（第２の常閉スイッチのカバー）
また、上記「第１のスイッチ」と「第２のスイッチ」は互いにその近傍に設置すれば、電源スイッチ２０を小型化でき、操作が便利になる効果がある。なお、上記「第１のスイッチ」と「第２のスイッチ」を近接して配置した場合には、「第１のスイッチ」と「第２のスイッチ」を取り違えて操作する誤操作の確率が大きくなるが、この場合、使用頻度の少ない「第２のスイッチ」に操作を不能にするカバ−を備えれば、誤操作を防止できる効果がある。
【００４６】
実施の形態２．
図７を用いて実施の形態２を説明する。実施の形態２は、電源オフ期間検出回路３６０をインバータ回路３００の出力に接続した実施形態である。この構成により、電源オフ期間検出回路３６０については、交流電源１の電圧が異なる場合でも同一の回路定数で対応できる。
【００４７】
図７は、実施の形態２の放電灯点灯装置の構成を示す回路図である。図７において、図１と同等または相当する構成要素には同一符号を付してその説明を省略する。図１では、電源オフ期間検出回路３６０は、電源スイッチ２０が所定の短時間オフした場合に、オフ期間後の「出力端子ｂ」の電圧が、交流電源１の入力電圧によって変動する。例えば、交流電源１が２００Ｖの場合は１００Ｖの場合に比べて、オフ期間後の電圧が大きくなる。従って、図１の構成では、交流電源１が１００Ｖの場合と２００Ｖの場合では、電源オフ期間検出回路３６０を構成する部品の回路定数を異なるものにする必要がある。
【００４８】
本実施の形態２では、電源オフ期間検出回路３６０の回路部品の定数を、交流電源１の値に関わらず同一にできるものである。図７において、インバータ回路３０１のダイオード３２のアノードはインバータ回路３０１の負極側出力に接続される。ダイオード３２のカソードからコンデンサ３１を介して、インバータ回路３０１の出力に接続される。ダイオード３２とコンデンサ３１との接続点を、電源オフ期間検出回路３６０の「入力端子ａ」に接続し、「出力端子ｂ」をマイコン３１２に接続する。電源オフ期間検出回路３６０の構成は図３に示したものと同一構成であるが、図１の場合は「入力端子ａ」の入力電圧の周波数が商用周波数であるのに対し、図７の場合はインバータ回路３００の出力であるので、通常５０ＫＨｚ程度の高周波数である点が異なる。
【００４９】
昇圧チョッパ回路２００の出力電圧（コンデンサ６の電圧）は、交流電源１の入力電圧の変化に対して概略一定になるように制御する。即ち、交流電源１の通常の電圧変動のみならず、例えば、交流電源１が、ＡＣ１００ＶまたはＡＣ２００Ｖを供給された場合でも昇圧チョッパ回路２００の出力電圧が概略一定であるように制御する。また、インバータ制御回路３１０の制御電源は、電源スイッチ２０の操作者のオフ動作に連動して、例えば、０．２秒程度以下の短時間で必要な電圧の供給が遮断されるように構成する。そして図１の放電灯点灯装置１００に相当する構成部分を、放電灯点灯装置１０１とする。
【００５０】
図７の回路で電源スイッチ２０がオンになると、インバータ回路３０１は、インバータ制御回路３１０によって制御され、放電灯１１は点灯する。そのとき、インバータ回路３０１の出力（スイッチング素子７とスイッチング素子８の接続点）からコンデンサ３１を介して電源オフ期間検出回路３６０の「入力端子ａ」に高周波電圧が印加され、「出力端子ｂ」に整流された直流電圧が出力される。
【００５１】
ここで、上述のように、昇圧チョッパ回路２００の出力電圧は、交流電源１の値に関わらず概略一定になるので、「出力端子ｂ」の電圧も、交流電源１の値に関わらず一定になる。次に電源スイッチ２０がオフになり、その時間が０．２秒程度以上継続すれば、インバータ制御回路３１０の電源が遮断されるのでインバータ回路３０１は発振停止する。このように、電源スイッチ２０がオフになると、インバータ回路３０１は、昇圧チョッパ回路２００のコンデンサ６に充電された電圧で短時間動作を継続した後、発振停止する。また、電源スイッチ２０がオンされれば、それに対応してインバータ回路は発振を開始する。インバータ回路３０１が発振停止すれば、電源オフ期間検出回路３６０は、その入力電圧が無くなるので、「出力端子ｂ」の電圧は所定の放電時定数で放電していく。電源オフ期間検出回路３６０の「出力端子ｂ」の電圧は、交流電源１の値に関わらず一定の直流電圧から所定の時定数で放電していく。このため、電源スイッチ２０をＴｏｆｆ期間オフした場合の電源オフ期間検出回路３６０の「出力端子ｂ」の電圧は、交流電源１の値に関わらず一定になる。
【００５２】
以上のように、本実施の形態２によれば、交流電源１の電圧が異なる場合でも、同一の回路定数で対応できる効果がある。
【００５３】
（放電灯状態検出回路３２０と電源オフ期間検出回路３６０との関係）
また、放電灯状態検出回路３２０が、放電灯１１の未接続（抜去状態）、寿命末期などの不良状態（異常状態）を検出した場合に、マイコン３１２がインバータ回路３０１の動作を停止するようにしておく。これにより、放電灯がこのような状態の場合は、電源オフ期間検出回路３６０の「出力端子ｂ」の電圧が常にＬレベルになる。従って、放電灯１１が未接続、不良状態の場合には、電源スイッチ２０を操作して放電灯１１の調光率を変更する機能を停止することができる。よって、放電灯１１の調光率を目視で確認できない状態で変更されてしまうことを防止できる効果がある。
【００５４】
なお、インバータ回路３０１が停止状態（放電灯状態検出回路３２０が、抜去、異常等を検出による）の場合に、電源スイッチ２０をオン・オフすると、この操作にともなって抵抗１３、コンデンサ３１、ダイオード３２を介して電源オフ期間検出回路３６０の「入力端子ａ」に微分的な電圧が印加される。この電圧に対しては、図３及び図７において、コンデンサ３６４の値をコンデンサ３１の値より充分大きく選定した上で、抵抗３６２と抵抗３６３の値を適当に選定すれば、電源オフ期間検出回路３６０の「出力端子ｂ」の電圧を実用的に問題ない低電圧レベルにすることができる。
【００５５】
また、本実施の形態２の放電灯点灯装置１０１を複数台同一の交流電源１に接続する場合は、電源スイッチ２０を共通にして１個でも良いことは明らかである。以降の説明では、放電灯点灯装置１０１として電源スイッチ２０を含めないで説明する場合がある。
【００５６】
実施の形態３．
図８を用いて実施の形態３を説明する。実施の形態３は、実施の形態１または実施の形態２の放電灯点灯装置を備えた照明器具を共通の電源スイッチに少なくても２台以上接続した照明システム１００１に関する。この照明システムにより、複数台の照明器具について同時に調光率を設定することができる。また、放電灯状態検出回路３２０が放電灯１１の抜去を検出した場合には、マイコン３１２が調光率を変更する機能を停止することにより、複数台の照明器具のうち、調光率を変えたいものに放電灯を装着し、調光率を変えたくないものは放電灯１１を抜去しておけばよい。これにより、特別の装置を必要とすることなく、目的の照明器具の放電灯を目的の調光率に設定することができる。
【００５７】
図８に示す本実施の形態３は、実施の形態１あるいは実施の形態２の放電灯点灯装置１０１あるいは放電灯点灯装置１００を複数台使用した場合の照明システム１００１の構成図である。照明システム１００１は、スイッチボックスの中に直列に接続された第１の電源スイッチ２０−１と、第２の電源スイッチ２０−２とを有する。これは、実施の形態１の最後の部分で述べた「電源スイッチの形態」、及び「第２の常閉スイッチのカバー」の記載に対応する。即ち、図８のように、電源スイッチ２０として壁スイッチなどを利用する場合に、電源スイッチ２０を交流電源１の投入または遮断状態を保持する「第１の電源スイッチ２０−１」と、操作時のみオフする「第２の電源スイッチ２０−２」（常閉スイッチ）との直列接続の構成とする。そして、放電灯１１の調光率の変化・確定の操作の場合は、操作時のみオフする「第２の電源スイッチ２０−２」を使用する。また、第１の電源スイッチ２０−１と第２の電源スイッチ２０−２は、互いに近傍に設置される。
図９は、図８の構成を具体的に示す図である。図９は、特に、直列に接続された２つの電源スイッチの具体的なイメージを示すための図である。図９において、壁にはスイッチボックスが取り付けられている。スイッチボックスは、直列に接続された第１の電源スイッチ２０−１と第２の電源スイッチ２０−２とを含む。天井には４台の照明器具が設置されている。４台の照明器具には、配設された電源線により交流電源１の電力が供給される。前記のように、「第１の電源スイッチ２０−１」は、交流電源１の投入または遮断状態を保持することに使用する。「第２の電源スイッチ２０−２」は、放電灯１１の調光率の変化・確定の操作にのみ使用する。言い換えれば、「第１の電源スイッチ２０−１」は、放電灯の通常のＯＮ／ＯＦＦ用のスイッチであり、「第２の電源スイッチ２０−２」は、放電灯１１の調光率の変化・確定の専用スイッチである。「第２の電源スイッチ２０−２」は、「第１の電源スイッチ２０−１」と間違えて操作されないように、カバーで覆われる。これにより、使用者の誤操作を防止できる効果がある。
実施の形態１あるいは実施の形態２で述べたように、これらの放電灯点灯装置は、放電灯状態検出回路３２０が放電灯１１の抜去を検出した場合には、マイコン３１２が調光率を変更する機能を停止する。照明器具８０１ａ〜８０１ｎは、それぞれ放電灯点灯装置１０１ａ〜１０１ｎを備える。図８において、放電灯点灯装置１０１ａ〜１０１ｎは、図７の放電灯点灯装置１０１に対して電源スイッチ２０を含まない以外は、放電灯点灯装置１０１と同一の構成である。照明システム１００１は、放電灯点灯装置１０１ａ〜１０１ｎに対して、共通の電源スイッチ２０を備える。図８において、操作者は実施の形態１及び２で説明した操作により電源スイッチ２０を操作し、放電灯の調光率を変化させることができることは明らかである。
【００５８】
さらに、放電灯の調光率を変化させたくない放電灯点灯装置、例えば、放電灯点灯装置１０１ｎの放電灯を照明装置から抜去した後、電源スイッチ２０の所定のオン・オフ操作を行えば、放電灯を抜去した照明装置以外の調効率は変化する。その後、抜去した放電灯を元通りに装着すれば、放電灯を抜去した照明装置と抜去しない照明装置で調光率に差をつけることができ、以降、調光率の差を維持したままで電源スイッチ２０で点灯または消灯の操作ができる。
【００５９】
ここで例えば、太陽による外光の差し込む明るい窓側の照明装置（照明器具ともいう）の備える放電灯点灯装置は調光率を小さく設定し、外光の少ない暗い壁側の照明装置の備える放電灯点灯装置は調光率を窓側よりも大きくになるように設定することで、室内の照度分布の差を小さく保つことができる。さらに、窓側の照明装置に外光を利用した期間の消費電力を節約できる効果がある。また、この特徴を利用して、例えば、店舗照明において、商品棚近傍の照度を通路部より明るくするなど、室内の照度のコントラストが大きくなるよう各放電灯点灯装置の調光率を設定しても良いことは勿論である。具体的に説明すると、図８で、放電灯点灯装置１０１ａ、放電灯点灯装置１０１ｂ、放電灯点灯装置１０１ｃの３つがあるものとする。この場合、まず放電灯点灯装置１０１ａにのみ放電灯を装着して電源スイッチ操作をし、次に、放電灯点灯装置１０１ａから放電灯を抜去して放電灯点灯装置１０１ｂにのみ放電灯を装着して電源スイッチ操作をし、次に、放電灯点灯装置１０１ｂから放電灯を抜去して放電灯点灯装置１０１ｃにのみ放電灯を装着して電源スイッチ操作をし、最後に、放電灯点灯装置１０１ａと放電灯点灯装置１０１ｂとに放電灯を装着する。
【００６０】
以上のように、本実施の形態３によれば、放電灯状態検出回路３２０が放電灯１１の抜去を検出した場合には、マイコン３１２が調光率を変更する機能を停止するので、放電灯を調光するための特別な調光コントローラや調光インターフェースのための特別な配線が無くても、複数の放電灯を異なる調光率で制御できる効果がある。また、この点灯装置の調光率を可変にできる特性と太陽光による外光を活用すれば、部屋の照度を適切に維持しつつ、省エネができる効果がある。
【００６１】
実施の形態４．
図１０に示す本実施の形態４は、実施の形態１あるいは実施の形態２の放電灯点灯装置１００あるいは放電灯点灯装置１０１を複数台使用した場合の照明システム２０００を示す構成図である。実施の形態４の照明システム２０００は、実施の形態３に対して、交流電源１のもとに、実施の形態３の照明システムを複数接続した構成である。照明システム１００２は、照明システム１００１と同じ構成である。照明システム１００２は、放電灯点灯装置１０１Ａ〜１０１Ｎに対して、共通の電源スイッチ２０Ａを備える。照明器具９０１Ａ〜９０１Ｎは、それぞれ放電灯点灯装置１０１Ａ〜１０１Ｎを備える。放電灯点灯装置１０１Ａ〜１０１Ｎは、放電灯点灯装置１０１ａ〜１０１ｎと同様に、放電灯状態検出回路３２０が放電灯１１の抜去を検出した場合には、マイコン３１２が調光率を変更する機能を停止する。
【００６２】
図１０において、電源スイッチ２０ａ及び電源スイッチ２０Ａを実施の形態１及び２で説明した操作を行って、放電灯の調光率を変化させることができることは明らかである。
【００６３】
図１０において、例えば、電源スイッチ２０ａに接続された放電灯点灯装置１０１ａ〜１０１ｎを太陽による外光の差し込む明るい窓側の照明装置８０１ａ〜８０１ｎに設置し、電源スイッチ２０Ａに接続される放電灯点灯装置１０１Ａ〜１０１Ｎを、外光の少ない壁側の照明装置９０１Ａ〜９０１Ｎに配置し、外光が明るい場合は窓側の放電灯の調光率が小さくなるようにし、外光が暗い場合には、窓側の放電灯の調光率が大きくなるように電源スイッチ２０を操作すれば，外光を利用した期間の消費電力を節約できる効果がある。
【００６４】
以上のように、本実施の形態によれば、放電灯１１を調光するための特別な調光コントローラや調光インターフェースのための特別な配線が無くても、複数の放電灯を異なる調光率で制御できる効果がある。また、この点灯装置の調光率を可変にできる特性と太陽光による外光を活用すれば、部屋の照度を適切に維持しつつ、省エネができる効果がある。
【００６５】
以上実施の形態１〜実施の形態４で説明した放電灯点灯装置は、以上のように構成されているので、以下に示すような効果を奏する。
【００６６】
放電灯１１の調光をする場合に、電源スイッチ２０がオン状態において、電源スイッチをオフしてから所定の短時間内にオンすることに応動して前記放電灯の調光率を変化させ、さらに所定の時間内に電源スイッチ２０をオフしてから所定の短時間内にオンした後に前記調光率の変化を確定し維持するようにしている。即ち、電源スイッチ２０の所定の短時間内（Ｔｏｆｆ以内）の人為的なオフ操作を、所定の手順で少なくても２回実行した後にのみ、放電灯１１の調光率の変化を確定できるようにしている。このため、落雷などの原因で交流電源１が瞬時停電する場合があったとしても、瞬時停電による交流電源１の断続状態が本実施の形態の調光率を変化・確定するために必要な交流電源１の断続状態と一致する確率は、実用的には無視できるほど小さくできるので、放電灯を調光するための特別な調光コントローラや調光インターフェースのための特別な配線が無くても多段階の調光率が可能な放電灯点灯装置を提供できる効果がある。
【００６７】
また、放電灯１１が放電灯点灯装置に未装着の場合、または、不良状態の場合は、電源スイッチ２０がオン状態において、電源スイッチ２０をオフしてから所定の短時間内にオンする操作を行っても放電灯１１の調光率を、正常放電灯が装着された最後の動作時の調光率に維持するようにしているので、放電灯１１が未接続、または、不良状態の場合に電源スイッチ２０を操作して放電灯の調光率を変更する機能を停止することができ、放電灯１１の調光率を目視で確認できない状態で変更されてしまうことを防止できる効果がある。
【００６８】
放電灯１１の調光率の変化は、その後所定の時間内に電源スイッチ２０をオフしてから所定の短時間内にオンする操作を所定の回数行い前記調光率の変化の確定が行われない場合、調光率を変化前の調光率に戻すようにしているので、仮に、落雷などの原因で交流電源１が瞬時停電する場合があったとしても、調光率の変化は調光率変化フラグＦｄの有効期間である５秒程度の短時間後には変化前の調光率か、予め指定した調光率になるので、瞬時停電の影響で予期せぬ調光率に誤動作することを防止できる効果がある。
【００６９】
調光率の変化を確定した表示を行うようにしているので、電源スイッチ２０の操作結果を確実に確認できる効果がある。また、放電灯１１の明滅または明暗で表示を行うことで、表示のための特別な構成部品が不要になる効果がある。
【００７０】
調光率の確定結果を放電灯１１の調光率を制御するインバータ制御回路３１０の不揮発性メモリ３１３に記録するようにしているので、電源スイッチ２０をオフ後、再度、電源スイッチ２０をオンしても電源スイッチ２０のオフ前の調光率で継続点灯できる効果がある。さらに、多段の調光率をの実行順序の変更や、調光率の追加や変更なども不揮発性メモリのデータ変更で容易に対応できる効果がある。
【００７１】
電源オフ期間検出回路３６０を、インバータ回路３００（または３０１）の出力から得るようにしているので、放電灯１１が未接続、または、不良状態の場合に電源スイッチ２０を操作して放電灯１１の調光率を変更する機能を停止することができ、放電灯１１の調光率を目視で確認できない状態で変更されてしまうことを防止できる効果がある。
【００７２】
上記で説明した放電灯点灯装置を照明装置（照明器具）に搭載し、前記照明装置を複数台設置して照明システムを構成しているので放電灯１１を調光するための特別な調光コントローラや調光インターフェースのための特別な配線が無くても、複数の放電灯を異なる調光率で制御できる効果がある。また、この点灯装置の調光率を可変にできる特性と太陽光による外光を活用すれば、部屋の照度を適切に維持しつつ、省エネができる効果がある。
【００７３】
実施の形態５．
図１１〜図１９を用いて実施の形態５を説明する。実施の形態５は、放電灯点灯装置の放電灯１１の出力の度合を示す出力表示を表示する出力表示器５００を説明する。また、放電灯点灯装置が出力の度合を示す出力表示を表示する表示部５１０−１を備える場合も説明する。
【００７４】
図１１は、実施の形態５における出力表示器５００の構成を説明する図である。図１１は、放電灯点灯装置１００と出力表示器５００との構成を示している。図１１の放電灯点灯装置１００は、図１の放電灯点灯装置１００とほぼ同様の構成であり、処理内容は同様である。放電灯負荷回路３３０−１の構成が放電灯負荷回路３３０の構成と若干異なるが、機能は同じである。また、インバータ制御回路３１０−１は、マイクロコンピュータ３１２−１（以下、マイコン３１２−１という）が不揮発性ＲＡＭ（不揮発性メモリ）を搭載することとしているため、不揮発性メモリ３１３を持たない。マイクロコンピュータ３１２−１は、インバータ回路３００の周波数制御および電源同期回路部４００−１から送出される電源ＯＮ、ＯＦＦ信号の判定を行う。電源同期回路部４００−１は、交流電源１（商用電源）のＯＮ、ＯＦＦを検出する回路であり、図１の電力供給一時停止期間検出部４００と同等の機能を有する。制御電源回路３７０は、マイクロコンピュータ３１２−１を駆動する電源回路である。制御電源回路３７０は、交流電源１がＯＦＦされた後も５秒程度はマイクロコンピュータ３１２−１が動作できるような回路となっている。
【００７５】
（出力表示器５００の構成）
図１１に示す出力表示器５００は、内部のマイコン５３０や表示素子の電源となる表示器電源５４０と、放電灯点灯装置１００の出力設定（マイコン３１２−１という場合がある）と同じアルゴリズムを自己の不揮発生メモリのプログラムに備え、且つそのアルゴリズムに基いて放電灯点灯装置１００の出力設定状態を検出し、その状態を制御するマイコン５３０（表示制御部）と、交流電源１のＯＮ、ＯＦＦを検出してマイコン５３０に入力する電源同期回路部５２０（第２の電力供給一時停止期間検出部）と、表示のための複数のＬＥＤから構成される表示部５１０とを備える。放電灯点灯装置１００と出力表示器５００とは、交流電源１から壁スイッチとして設けられた電源スイッチ２０を介した電源に共通に接続されており、電源スイッチ２０（壁スイッチ）の操作された結果の電源のＯＮ、ＯＦＦ状態は、放電灯点灯装置１００と出力表示器５００に同じものが印加される。
【００７６】
図１１に示すように、表示器電源５４０と放電灯点灯装置１００の電源とは、交流電源１に対して並列に接続されている。よって、電源同期回路部５２０は、交流電源１に基づく電力供給一時停止期間に対して、電源同期回路部４００−１と同じ結果を検出する。したがって、マイコン５３０はマイコン３１２−１と同じアルゴリズムのプログラムで動作するので、マイコン５３０は、マイコン３１２−１が電源同期回路部４００−１による検出結果に対して新たな設定値を確定する場合に、電源同期回路部５２０による検出結果に対して、マイコン３１２−１により確定される新たな設定値と同じ値を設定値（第２の新たな設定値）として確定し、その設定値に対応する出力表示を表示部５１０に表示させる。なお同じアルゴリズムというのは一例である。同じアルゴリズムでなくとも、マイコン５３０は、電源同期回路部５２０の検出結果（電源同期回路部５２０は、交流電源１のＯＮ、ＯＦＦに対して電源同期回路部４００−１と同一結果を検出する）に対して、マイコン３１２−１と同一の設定値が確定されるプログラムが組み込まれていればよい。マイコン５３０は、設定値（第２の新たな設定値）が更新されるごとに前記設定値を不揮発性ＲＡＭに上書きして記憶する。そして、マイコン５３０は、不揮発性ＲＡＭに記憶されている前記設定値に対応する出力表示を表示部５１０に表示させる。
【００７７】
（マイコン３１２−１による表示制御）
図１２は、出力表示器５００のマイコン５３０による制御を、放電灯点灯装置１００のマイコン３１２−１が行う構成を示した図である。ＬＥＤから構成される表示部５１０−１がマイコン３１２−１に接続され、放電灯点灯装置１００の出力設定状態を表示する。このように、マイコン３１２−１は、新たな設定値を確定した場合に、新たな設定値に対応する出力表示をＬＥＤから構成される表示部５１０−１に表示させる。
【００７８】
（スイッチボックス６００への収納）
図１３は、交流電源１のＯＮ、ＯＦＦの操作方法として、壁スイッチとした電源スイッチ２０による操作方法を示している。図１３には照明装置７０１ａ〜７０１ｎを示しているが、いずれも図１１に示す放電灯点灯装置１００を備えている。その他の図における場合も同様である。図１３は、複数の照明装置７０１ａ〜７０１ｎ、電源スイッチ２０（壁スイッチ）、及び出力表示器５００との関係を示す配線図であり、電源スイッチ２０と出力表示器５００とがスイッチボックス６００に収納された場合を示している。出力表示器５００は図１１の構成であるが、ＬＥＤのみを示して簡略化している。図１３に示すように、複数の照明装置７０１ａ〜７０１ｎは、交流電源１に並列に接続している。そして、出力表示器５００は、交流電源１に対して照明装置（整流回路）と並列に接続する。また、出力表示器５００は、電源スイッチ２０が格納されるスイッチボックス６００に電源スイッチ２０とともに格納される。図１４は、出力表示器５００と壁スイッチである電源スイッチ２０を１個用スイッチボックス６００に収納する構造を示す図である。図１４（ａ）は正面図であり、図１４（ｂ）は、Ａ−Ａ断面図である。
【００７９】
（ＳＳＲの採用）
図１５は、交流電源１のＯＮ、ＯＦＦの操作方法として、マイコン５３０により制御された半導体式接点若しくは機械式接点による方法を示す。図１５では、マイコン５３０とＳＳＲ（Ｓｏｌｉｄ  Ｓｔａｔｅ  Ｒｅｌａｙ）５５１とが、操作変換部５５０を構成している。ＳＳＲ５５１を用いる場合は、所望の出力に１操作で設定することのできるダイレクトスイッチ５５２ａ，５５２ｂ，５５２ｃにより、交流電源１の複雑なＯＮ、ＯＦＦ操作が、マイコン５３０がＳＳＲ５５１を制御することで可能となる。表示素子（ＬＥＤ）の制御は、マイコン５３０が行う。即ち、マイコン５３０は、ダイレクトスイッチ５５２ａ〜５５２ｃのいずれかが操作されると、この操作を検知して、ＳＳＲ５１を制御する。このマイコン５３０による制御は、ダイレクトスイッチに対応する交流電源１のＯＮ／ＯＦＦを作り出す制御である。例えば、ダイレクトスイッチ５５２ｂ（７０％）が操作された場合、マイコン５３０は、ダイレクトスイッチ５５２ｂが操作されたことを検知して、７０％出力となるよう、図５に示した第１操作及び第２操作（スイッチ操作）を作り出す。マイコン５３０がＳＳＲ５５１を制御することにより作り出された交流電源１のＯＮ／ＯＦＦ状態（スイッチング状態）により、交流電力が放電灯点灯装置を備えた照明装置７０１ａ〜７０１ｎに供給される。よって、照明装置７０１ａ〜７０１ｎのそれぞれは、７０％出力の設定値に設定を確定する。一方、マイコン５３０は、ダイレクトスイッチ５５２ｂ（７０％）が操作されると、複数のＬＥＤから構成される表示部５１０に「７０％出力」に対応する表示を表示させる。
【００８０】
図１６は、操作変換部５５０が、ダイレクトスイッチに代えて、赤外線リモコンを用いる場合を示す図である。操作変換部５５０は、ダイレクトスイッチに代えて、赤外線受光部（受信部）５６１を備えた構成である。赤外線リモコン５７０は、ダイレクトスイッチ５５２ａ〜５５２ｃに相当するいずれかの信号（出力対応信号）を送信し、赤外線受光部５６１がこの信号を受信する。その後の動作は、図１５のダイレクトスイッチの場合と同様である。
【００８１】
（ＬＥＤの採用）
出力表示器５００の表示部５１０、あるいは図１２の表示部５１０−１における表示素子としては、最も安価なＬＥＤが適している。ＬＥＤを用いた場合の表示方法としては、例えば、出力の設定として、高出力（全光）、中間出力、低出力の３段階とする場合を想定する。出力表示器５００（あるいは表示部５１０−１）のＬＥＤは、図１４（ａ）の場合を想定する。このとき出力表示器５００のＬＥＤは、ＬＥＤ１が高出力（全光）、ＬＥＤ２が中出力、ＬＥＤ３が低出力、ＬＥＤ４を設定確定の表示とする。各設定状態の時にのみ一つのＬＥＤが点灯するように制御することで、表示器電源の効率を向上させることができ、省エネにも有効である。なお、表示部５１０、５１０−１の表示素子としては、単体のＬＥＤに限定するものではなく、ＬＣＤ（Ｌｉｑｕｉｄ  Ｃｒｙｓｔａｌ  Ｄｉｓｐｌａｙ）、ＬＥＤのセグメント器などを用いてもかまわない。省エネ効果をこの照明装置を使用している人に知らしめる為には、図１４（ａ）のようにＬＥＤを直線上に配置し、高出力時ＬＥＤ１のみ、中出力時はＬＥＤ１、２を点灯するなど、棒グラフ上にすることも効果的である。あるいは、放電灯点灯装置が電源オフの場合に加え、全光点灯時はＬＥＤを点灯させないようにしてもよい。
【００８２】
（着脱方式）
図１７は、出力表示器５００を表示器用コンセント６１０に対して、着脱可能にした構成を示す図である。出力表示器５００は図１１の構成であるが、ＬＥＤのみを示して簡略化している。壁、天井または照明装置に表示器用コンセント６１０を設ける。この表示器用コンセント６１０に、出力表示器５００に設けた表示器用プラグ６２０を接続する。これにより、出力表示器５００を着脱可能とした。出力表示器５００は、交流電源１に対して照明装置７０１ａ〜７０１ｎ（放電灯点灯装置）と並列に接続する表示器用コンセント６１０に対して接続する、表示器用プラグ６２０を備える。出力表示器５００の電源同期回路部５２０は、表示器用コンセント６１０に接続された表示器用プラグ６２０を介して、電源同期回路部４００−１と同じ結果を検出する。マイコン５３０は、マイコン３１２−１が電源同期回路部４００−１の検出結果に基づき新たな設定として確定する設定値と同じ値を、電源同期回路部５２０の検出結果に基づき設定値（第２の新たな設定値）として確定し、確定された設定値（第２の新たな設定値）に対応する出力表示を表示部５１０に表示させる。例えば、出力表示器５００が、スペースの都合上、図１４に示したようなスイッチボックス６００に収められない場合、本方式をとることにより、出力設定時のみ出力表示器５００を表示器用コンセント６１０に接続し、設定後は出力表示器５００を取り外すことができる。また、出力表示器５００を着脱式にしたことにより、１個の出力表示器５００で複数の照明装置を設定することが可能となり、省資源、省エネとなる。
【００８３】
（電源端子台６６０の採用）
図１８は、出力表示器５００を天井埋め込み構造にした図である。また、図１９は、出力表示器５００の構成を示す図である。図１９の出力表示器５００は、図１１の出力表示器５００に対して、ダイオードブリッジの入力側に電源端子台６６０を備えている。出力表示器５００は、天井取り付け構造とされ、送り配線を可能とする電源端子台６６０を備える。図１８の配線６５１〜６５４は、図１９の配線６５１〜６５４に同じである。出力表示器５００は、照明装置７０１ａ〜７０１ｎの前段において交流電力を入力するととも、入力した交流電力を照明装置（放電灯点灯装置）に分配する電源端子台６６０を備える。電源同期回路部５２０は、電源端子台６６０を介して、電源同期回路部４００−１と同じ結果を検出する。マイコン５３０は、マイコン３１２−１が電源同期回路部４００−１の検出結果に基づき新たな設定として確定する設定値と同じ値を、電源同期回路部５２０の検出結果に基づき設定値（第２の新たな設定値）として確定し、確定された設定値（第２の新たな設定値）に対応する出力表示を表示部５１０に表示させる。
【００８４】
電源端子台６６０を備えることにより、例えば、スイッチボックス６００にスペース上の理由で出力表示器５００が収められない場合、または元々片切スイッチのため１線しか引き込まれてなく２線を引き込むために配線工事が必要な場合などに本方式は有効である。本方式は、天井埋め込み方式のため、天井裏に設置されている照明器具（照明装置）に接続される配線を切断し、その切断した配線を出力表示器５００の電源端子台６６０に接続するのみで使用できるため、面倒な配線工事を必要としない。
【図面の簡単な説明】
【００８５】
【図１】実施の形態１における放電灯点灯装置の回路図。
【図２】実施の形態１における不揮発性メモリを説明する図。
【図３】実施の形態１における電源オフ期間検出回路の回路図。
【図４】実施の形態１における電源オフ期間検出回路の保持電圧を説明する図。
【図５】実施の形態１における電源スイッチの操作を説明する図。
【図６】実施の形態１における電源スイッチの操作過程を説明するフローチャート。
【図７】実施の形態２における放電灯点灯装置の回路図。
【図８】実施の形態３における照明システム１００１の構成図。
【図９】図８を具体的に示す図。
【図１０】実施の形態４における照明システム２０００の構成図。
【図１１】実施の形態５における出力表示器の構成を示す図。
【図１２】実施の形態５における放電灯点灯装置の構成を示す図。
【図１３】実施の形態５におけるスイッチボックスに収納された出力表示器を示す図。
【図１４】実施の形態５におけるスイッチボックスの状態を示す図。
【図１５】実施の形態５における出力表示器の構成を示す図。
【図１６】実施の形態５におけるリモコン制御ユニットとして実現される出力表示器の構成を示す図。
【図１７】実施の形態５における表示器用プラグを備えた出力表示器を示す図。
【図１８】実施の形態５における電源端子台を持つ出力表示器を説明する図。
【図１９】実施の形態５における電源端子台を持つ出力表示器の構成図。
【符号の説明】
【００８６】
ａ  入力端子、ｂ  出力端子、１  交流電源、２  ダイオードブリッジ、３  チョークコイル、４  ダイオード、５  スイッチング素子、６  コンデンサ、７，８  スイッチング素子、９  カップリングコンデンサ、９−１  コンデンサ、１０  チョークコイル、１１  放電灯、１２  コンデンサ、１３，１４  抵抗、１４−１  抵抗、２０，２０ａ，２０Ａ  電源スイッチ、２５  配線、１００，１０１，１０１ａ〜１０１ｎ，１０１Ａ〜１０１Ｎ  放電灯点灯装置、２００  昇圧チョッパ回路、２１０  昇圧チョッパ制御回路、３００，３０１  インバータ回路、３１０，３１０−１  インバータ制御回路、３１１  制御出力回路、３１２，３１２−１  マイコン、３１３  不揮発性メモリ、３２０  放電灯状態検出回路、３２０−１  ランプ検出回路、３３０，３３０−１  放電灯負荷回路、３４０  電源オン・オフ状態検出回路、３６０  電源オフ期間検出回路、３６１  ダイオード、３６２，３６３  抵抗、３６４  コンデンサ、３７０  制御電源回路、４００  電力供給一時停止期間検出部、４００−１  電源同期回路部、４１０  表示部、５００  出力表示器、５１０，５１０−１  表示部、５２０  電源同期回路部、５３０  マイコン、５４０  表示器電源、５５０  操作変換部、５５１  ＳＳＲ、５５２ａ，５５２ｂ，５５２ｃ  ダイレクトスイッチ、５６１  赤外線受光部、５７０  赤外線リモコン、６００  スイッチボックス、６１０  表示器用コンセント、６２０  表示器用プラグ、６５１，６５２，６５３，６５４  配線、６６０  電源端子台、７０１ａ〜７０２ｎ  照明装置、８０１ａ〜８０１ｎ  照明装置、９０１Ａ〜９０１Ｎ  照明装置、１００１，１００２，２０００  照明システム、３１３０  調光率変化フラグＦｄ、３１３１  フィラメント検出フラグ、３１３２  放電灯不良検出フラグ、３１３３  電源ＯＮ・ＯＦＦフラグ、３１３４  短時間ＯＦＦフラグ、３１３５  期間データ、３１３６  必要確定操作回数、３１３７  調光率テーブル。
【図１】
2008262891.tif 000003
【図２】
2008262891.tif 000004
【図３】
2008262891.tif 000005
【図４】
2008262891.tif 000006
【図５】
2008262891.tif 000007
【図６】
2008262891.tif 000008
【図７】
2008262891.tif 000009
【図８】
2008262891.tif 000010
【図９】
2008262891.tif 000011
【図１０】
2008262891.tif 000012
【図１１】
2008262891.tif 000013
【図１２】
2008262891.tif 000014
【図１３】
2008262891.tif 000015
【図１４】
2008262891.tif 000016
【図１５】
2008262891.tif 000017
【図１６】
2008262891.tif 000018
【図１７】
2008262891.tif 000019
【図１８】
2008262891.tif 000020
【図１９】
2008262891.tif 000021